(57)【要約】      （修正有）【課題】外装ケースの起立板部に開設した吸込み口からの空気を外装ケースの天板部に開設した吹出し口に送風するファン付器具において、吹出し口からファンケーシング内に水等の液体が侵入したときに、外装ケース内に液体が落下することを防止する。【解決手段】ファンケーシング３２の下辺部に形成される、外装ケース１の起立板部１２の内面に当接する下壁部３２１ｄに、該下壁部の所定箇所に位置させて窪み部３２１ｅを形成すると共に、下壁部の窪み部以外の部分に、窪み部に向かう下り勾配を付ける。また、後板部１２に、窪み部３２１ｅに対向する位置の切込み１２１と、窪み部の下側に入り込むように内方に凹入された切込みの下側の凹入部１２２とを形成する。【選択図】図４
2006183913.tif 000002
【特許請求の範囲】
【請求項１】
外装ケース内に、ファンを収納したファンケーシングを、該ファンケーシングの吹出し側が前記外装ケースの天板部に開設した吹出し口に臨み、且つ、該ファンケーシングの吸込み側が前記外装ケースの起立板部に開設した吸込み口に臨むように配置し、前記ファンの作動により空気が前記吸込み口から前記ファンケーシングを介して前記吹出し口に送風されるようにしたファン付器具において、
前記ファンケーシングの下辺部に形成される、前記起立板部の内面に当接する下壁部に、該下壁部の長手方向の所定箇所に位置させて、下方に窪む窪み部が形成されると共に、前記下壁部の前記窪み部以外の部分に、前記窪み部に向かう下り勾配が付けられ、
前記起立板部に、前記窪み部に対向する位置の切込みと、前記窪み部の下側に入り込むように内方に凹入された前記切込みの下側の凹入部とが形成されていることを特徴とするファン付器具。
【請求項２】
請求項１記載のファン付器具であって、前記ファンケーシングは、前記ファンを収納するファン収納部を有するケーシング本体と、該ケーシング本体に、前記ファン収納部の前記起立板部側の開口面を覆うように取付けられる蓋部材とで構成され、該蓋部材に、前記ファン収納部の内部空間に連通する吸気口を開設すると共に、該吸気口と前記吸込み口との間の空間を囲う筒部を形成するものにおいて、
前記ケーシング本体に、前記ファン収納部の前記開口面から前記蓋部材を囲うようにして前記起立板部側にのびる周壁部が形成され、この周壁部の下辺の壁部で前記下壁部が構成されることを特徴とするファン付器具。
【請求項３】
請求項１又は２記載のファン付器具であって、前記起立板部に前記凹入部の下方に位置する開口部が形成されているものにおいて、
前記起立板部の外面に、前記凹入部と前記開口部との間に位置させて、前記凹入部から前記起立板部の外面を伝って流れ落ちる液体を前記開口部から外れる方向に導く突条が形成されていることを特徴とするファン付器具。
【請求項４】
請求項１又は２記載のファン付器具であって、前記起立板部に前記凹入部の下方に位置する開口部が形成されると共に、前記外装ケース内に、前記開口部の近傍に位置させて内蔵部品の取付板が設けられているものにおいて、
前記取付板に、前記開口部を内方から覆う蓋部が形成されていることを特徴とするファン付器具。
【発明の詳細な説明】
【技術分野】
【０００１】
本発明は、室内空気の吸込み及び室内への送風を行うファンを備える空気清浄器等のファン付器具に関する。
【背景技術】
【０００２】
従来、空気清浄器として、外装ケース内に、ファンを収納したファンケーシングを、ファンケーシングの吹出し側が外装ケースの天板部に開設した吹出し口に臨み、且つ、ファンケーシングの吸込み側が外装ケースの起立板部(例えば、外装ケースの後板部)に開設した吸込み口に臨むように配置し、吸込み口に空気浄化フィルタを装着して、ファンの作動により吸込み口から吸込まれる浄化された空気がファンケーシングを介して吹出し口に送風されるようにしたものは知られている(例えば、特許文献１参照)。
【０００３】
このように外装ケースの天板部に吹出し口を開設したファン付器具では、天板部上に置いたコップが倒れる等して、吹出し口からファンケーシング内に水等の液体が侵入することがある。ここで、ファンケーシングはその吸込み側の周壁部において外装ケースの起立板部の内面に当接しているが、ファンケーシングと起立板部との間のシール性を確保することは困難である。そのため、ファンケーシング内に液体が侵入すると、この液体がファンケーシングと起立板部との間から外装ケース内に落下して、内蔵部品に液体がかかり、故障の原因になることがある。
【特許文献１】特開２００１−１５３４６６号公報
【発明の開示】
【発明が解決しようとする課題】
【０００４】
本発明は、以上の点に鑑み、ファンケーシング内に侵入した液体をファンケーシングから外装ケースの外部に排出して、外装ケース内に液体が落下することを防止できるようにしたファン付器具を提供することをその課題としている。
【課題を解決するための手段】
【０００５】
上記課題を解決するために、本発明は、外装ケース内に、ファンを収納したファンケーシングを、該ファンケーシングの吹出し側が前記外装ケースの天板部に開設した吹出し口に臨み、且つ、該ファンケーシングの吸込み側が前記外装ケースの起立板部に開設した吸込み口に臨むように配置し、前記ファンの作動により空気が前記吸込み口から前記ファンケーシングを介して前記吹出し口に送風されるようにしたファン付器具において、前記ファンケーシングの下辺部に形成される、前記起立板部の内面に当接する下壁部に、該下壁部の長手方向の所定箇所に位置させて、下方に窪む窪み部が形成されると共に、前記下壁部の前記窪み部以外の部分に、前記窪み部に向かう下り勾配が付けられ、前記起立板部に、前記窪み部に対向する位置の切込みと、前記窪み部の下側に入り込むように内方に凹入された前記切込みの下側の凹入部とが形成されていることを特徴とする。
【０００６】
上記の構成によれば、ファンケーシング内に侵入した液体は、勾配の付いた下壁部の部分を伝って窪み部に導かれる。そして、窪み部に導かれた液体は、窪み部から起立板部の凹入部に落下し、凹入部から起立板部の外面に流れ出る。かくして、ファンケーシング内に侵入した液体は外装ケースの外部に排出され、ファンケーシングと起立板部との間から液体が外装ケース内に落下して、内蔵部品の故障を生ずることが防止される。
【０００７】
尚、ファンケーシングを、ファンを収納するファン収納部を有するケーシング本体と、ケーシング本体に、ファン収納部の前記起立板部側の開口面を覆うように取付けられる蓋部材とで構成し、蓋部材に、ファン収納部の内部空間に連通する吸気口を開設すると共に、吸気口と前記吸込み口との間の空間を囲う筒部を形成することがある。この場合、蓋部材にファン収納部の内部空間の下部に連通するドレン孔を形成し、蓋部材の筒部の下辺の壁部をドレン孔より下方に位置させて、この下辺の壁部で上記下壁部を構成すること、即ち、下辺の壁部に窪み部を形成すると共に窪み部に向かう下り勾配を付けることも可能である。然し、これでは、ファン収納部に侵入した液体がケーシング本体と蓋部材との間から漏れ出て外装ケース内に落下する可能性がある。
【０００８】
これに対し、ケーシング本体に、ファン収納部の開口面から蓋部材を囲うようにして外装ケースの起立板部側にのびる周壁部を形成し、この周壁部の下辺の壁部で上記下壁部を構成すれば、ファン収納部の開口面と蓋部材との間から漏れ出る液体は周壁部の下辺の壁部で受け止められ、この下辺の壁部に形成される窪み部から上記凹入部を介して外装ケースの外部に排出される。従って、ケーシング本体と蓋部材との間から液体が外装ケース内に落下することを防止できる。
【０００９】
ところで、外装ケースの起立板部に上記凹入部の下方に位置する開口部が形成されていると、凹入部から起立板部の外面を伝って流れ落ちる液体が開口部から外装ケース内に侵入する可能性がある。この場合、外装ケースの起立板部の外面に、凹入部と開口部との間に位置させて、凹入部から起立板部の外面を伝って流れ落ちる液体を開口部から外れる方向に導く突条を形成しておけば、開口部から液体が侵入することを抑制できる。また、外装ケース内に、開口部の近傍に位置させて内蔵部品の取付板が設けられている場合、取付板に開口部を内方から覆う蓋部を形成すれば、この蓋部により開口部からの液体の侵入を防止することができる。
【発明を実施するための最良の形態】
【００１０】
以下、空気清浄器の一種であるクラスタイオン送風装置を具備するファンヒータに本発明を適用した実施形態について説明する。図１及び図２を参照して、１はファンヒータの外装ケースであり、外装ケース１内に、暖房装置２とクラスタイオン送風装置３とを配置している。
【００１１】
暖房装置２は、下部の温風ファン２１と上部の加熱部２２とを備えている。また、外装ケース１の前板部１１の下部に暖房用の吹出し口２３を開設すると共に、外装ケース１の後板部１２に、図３に示す如く、複数の孔から成る暖房用の吸込み口２４を開設し、吸込み口２４から加熱部２２と温風ファン２１とを介して吹出し口２３に至る通風路が形成されるようにしている。かくして、吸込み口２４から吸込まれる空気に加熱部２２に内蔵するバーナ(図示せず)の燃焼排気が混合され、吹出し口２３から温風が吹出される。尚、外装ケース１内には、暖房装置２の側方に位置させて、バーナへのガス供給を制御する電磁弁やイグナイタといった暖房装置用の電装品２５と、暖房装置及びクラスタイオン送風装置用の電子コントロールユニット４とが配置されている。また、外装ケース１の天板部１３には、各種操作ボタン５ａを有する操作パネル５が配置されている。
【００１２】
クラスタイオン送風装置３は、外装ケース１内の暖房装置用電装品２５や電子コントロールユニット４の配置部の上方位置に配置されている。クラスタイオン送風装置３は、図４に示す如く、ファン３１を収納するファンケーシング３２を備えており、ファンケーシング３２に、クラスタイオンを発生するプラズマクラスタ素子３３が装着されている。ファンケーシング３２は、その吹出し側が外装ケース１の天板部１３に開設した吹出し口３４に臨み、その吸込み側が外装ケース１の起立板部たる後板部１２の上部側方部分に開設した複数の孔から成る吸込み口３５に臨むように配置されている。かくして、ファン３１を作動させると、吸込み口３５からファンケーシング３２内に空気が吸込まれ、プラズマクラスタ素子３３で発生されたクラスタイオンが混入された空気が吹出し口３４から上方に吹出される。また、ファンケーシング３２の前面には、ファン３１を駆動するファンモータ３６が取付けられている。
【００１３】
ここで、ファンケーシング３２は、ファン３１を収納するファン収納部３２１ａと、プラズマクラスタ素子３３の装着部３２１ｂとを有するケーシング本体３２１と、該ケーシング本体３２１に、ファン収納部３２１ａの後板部１２側の開口面を覆うように取付けられる蓋部材３２２とで構成されている。蓋部材３２２には、ファン収納部３２１ａの内部空間の中央部に連通する漏斗状の吸気口３２２ａと、吸込み口３５と吸気口３２２ａとの間の空間を囲う筒部３２２ｂとが設けられている。蓋部材３２２は、図５に示す如く、複数箇所でケーシング本体３２１にボルト３２３止めされ、また、ファンケーシング３２は、蓋部材３２２の背面の複数箇所に形成したボス部３２２ｃにおいて、図３に示す如く後板部１２にボルト３２４止めされている。
【００１４】
ところで、外装ケース１の天板部１３上に置いたコップが倒れる等して、吹出し口３４からファンケーシング３２内に水等の液体が侵入した場合、ケーシング本体３２１と蓋部材３２２との合せ面から液体が漏れ出て、外装ケース１内に液体が落下する可能性がある。そして、外装ケース１内に液体が落下すると、電装品２５や電子コントロールユニット４といった内蔵部品に液体がかかって、故障の原因になる。
【００１５】
そこで、本実施形態では、図４、図５に示す如く、ケーシング本体３２１に、蓋部材３２２を囲うようにして後板部１２側にのびる周壁部３２１ｃを形成し、ケーシング本体３２１と蓋部材３２２との合せ面から漏れ出る液体を周壁部３２１ｃの下辺の壁部、即ち、ファンケーシング３２の下壁部３２１ｄで受けられるようにしている。ここで、周壁部３２１ｃの左右の側辺の壁部の下半部及び下壁部３２１ｄは後板部１２の内面に当接しており、これら壁部と後板部１２との間のシール性が確保されていれば、液体が外装ケース１内に落下することを防止できる。然し、これら壁部と後板部１２との間のシール性を確保することは困難であり、このままでは、下壁部３２１ｄと後板部１２との間から液体が外装ケース１内に落下してしまう。
【００１６】
この点を考慮して、本実施形態では、下壁部３２１ｄの長手方向(左右方向)の所定箇所、例えば、長手方向一方の端部に、下方に窪む樋状の窪み部３２１ｅを形成し、更に、下壁部３２１ｄの窪み部３２１ｅ以外の部分に、窪み部３２１ｅに向かう下り勾配を付けている。また、後板部１２に、窪み部３２１ｅに対向する位置の切込み１２１と、窪み部３２１ｅの下側に入り込むように内方に凹入された切込み１２１の下側の凹入部１２２とを形成している。尚、窪み部３２１ｅには、図６に示す如く、後方に向かう下り勾配が付けられ、また、窪み部３２１ｅの後端には、下方に張り出して凹入部１２２に入り込む凸部３２１ｆが形成されている。
【００１７】
上記の構成によれば、ケーシング本体３２１と蓋部材３２２との合せ面から漏れ出る液体は、勾配の付いた下壁部３２１ｄの部分を伝って窪み部３２１ｅに導かれ、窪み部３２１ｅから後板部１２の凹入部１２２に落下し、凹入部１２２から後板部１２の外面に流れ出る。従って、下壁部３２１ｄと後板部１２との間から液体が外装ケース１内に落下することが防止され、内蔵部品に液体がかかることはない。また、窪み部３２１ｅの後端の凸部３２１ｆによる水切り作用が得られるため、液体が窪み部３２１ｅの下面を伝って外装ケース１内に落下することも防止される。
【００１８】
ところで、後板部１２の外面には、図３に示す如く、上記両吸込み口２４，３５を覆う共通のフィルタ６が装着される。そして、後板部１２に、フィルタ６の下縁の横方向両端部を受ける一対の受け片１２３，１２３が切起されている。ここで、一方の受け片１２３は、上記凹入部１２２の下方に位置している。そのため、凹入部１２２から後板部１２の外面に流れ出た液体が、凹入部１２２の下方の受け片１２３の切起し跡である開口部１２４に流れ落ちて、開口部１２４から外装ケース１内に侵入する可能性がある。
【００１９】
そこで、本実施形態では、後板部１２の外面に、凹入部１２２とその下方の開口部１２４との間に位置させて、凹入部１２２から後板部１２の外面を伝って流れ落ちる液体を開口部１２４から外れる方向に導くリブ状の突条１２５を形成している。突条１２５は、凹入部１２２の直下に位置する横長の部分１２５ａと、この部分１２５ａの横方向外端部から下方にのびる縦長の部分１２５ｂとで構成される。そして、横長部分１２５ａに横方向外方に向かう下り勾配を付け、凹入部１２２から流れ落ちる液体が横長部分１２５ａの勾配により横方向外方に導かれるようにしている。また、縦長部分１２５ｂにより、液体が横方向内方に流れることを防止している。
【００２０】
尚、突条１２５は、フィルタ６との干渉を防止する上で、フィルタ６の側縁部より内側に形成せざるを得ない。一方、受け片１２３はフィルタ６の側縁部の浮きを防止する上で、フィルタ６の下縁の側端部にできるだけ近い位置に形成する必要がある。そのため、開口部１２４の横方向外端部の位置より外方に液体を導くように突条１２５を形成することは困難である。その結果、突条１２５の縦長部分１２５ｂの下端から下方に流れる液体の一部が開口部１２４に入る可能性が残る。
【００２１】
そこで、本実施形態では、外装ケース１内の開口部１２４の近傍に配置される内蔵部品である電子コントロールユニット４の取付板４１に、図７に示す如く、開口部１２４を内方から覆う蓋部４２を形成している。そのため、開口部１２４からの液体の侵入が蓋部４２により抑制される。
【００２２】
ところで、上記実施形態では、ファンケーシング３２をケーシング本体３２１と蓋部材３２２とで構成したが、後板部１２に、ファン収納部の内部空間の中央部に連通するように吸込み口を形成して、蓋部材３２２を省略することも可能である。この場合には、ファンケーシング３２の下辺の後板部１２に当接する下壁部に、上記窪み部３２１ｅと同様の窪み部を形成すると共に、窪み部以外の下壁部の部分に窪み部に向かう下り勾配を付ける。
【００２３】
また、上記実施形態では、クラスタイオン送風装置を具備するファンヒータに本発明を適用しているが、本発明は、これに限定されるものではなく、外装ケースの起立板部に開設した吸込み口から吸込んだ空気を外装ケースの天板部に開設した吹出し口に送風するファンを具備する器具(ファン付器具)に広く適用できる。
【図面の簡単な説明】
【００２４】
【図１】本発明の実施形態の器具を具備するファンヒータを示す斜視図。
【図２】図１のファンヒータの前板部を取外した状態の正面図。
【図３】図１のファンヒータの背面図。
【図４】図２のＩＶ−ＩＶ線で切断した要部の切断側面図。
【図５】ファンケーシングの拡大背面図。
【図６】図３のＶＩ−ＶＩ線で切断した拡大切断側面図。
【図７】図３のＶＩＩ−ＶＩＩ線で切断した拡大切断側面図。
【符号の説明】
【００２５】
１…外装ケース、１２…後板部(起立板部)、１２１…切込み、１２２凹入部、１２４…開口部、１２５…突条、１３…天板部、３…クラスタイオン送風装置(ファン付器具)、３１…ファン、３２…ファンケーシング、３２１…ケーシング本体、３２１ａ…ファン収納部、３２１ｃ…周壁部、３２１ｄ…周壁部の下辺の壁部(下壁部)、３２１ｅ…窪み部、３２２…蓋部材、３２２ａ…吸気口、３２２ｂ…筒部、３４…吹出し口、３５…吸込み口、４…電子コントロールユニット(内蔵部品)、４１…取付板、４２…蓋部。
【図１】
2006183913.tif 000003
【図２】
2006183913.tif 000004
【図３】
2006183913.tif 000005
【図４】
2006183913.tif 000006
【図５】
2006183913.tif 000007
【図６】
2006183913.tif 000008
【図７】
2006183913.tif 000009